(57)【特許請求の範囲】
【請求項１】
光記録媒体に対して情報の記録再生を行う光記録媒体記録再生装置を備えた光記録媒体記録再生システムであって、前記光記録媒体記録再生装置は、書き込み済みデータエリア、未記録のファイル情報エリアを有するとともに、パスワードが記録されている光記録媒体に対して、前記パスワードが記録されている位置をアクセスしてパスワードを再生する手段と、この手段で再生したパスワードの内容と外部の装置より入力されたパスワードの内容を照合する手段と、この手段によるパスワードの照合で前記再生したパスワードの内容と前記入力されたパスワードの内容とが一致したときに前記光記録媒体にファイル情報を記録する手段とを有し、前記光記録媒体はＰＭＡがオレンジブック記載のアドレス位置以外に有り、かつパスワードが記録されるＣＤ−Ｒ或いはＣＤ−ＲＷからなり、前記光記録媒体にファイル情報を記録した後に前記光記録媒体に対する情報再生を可能とすることを特徴とする光記録媒体記録再生システム。
【請求項２】
請求項１記載の光記録媒体記録再生システムにおいて、前記光記録媒体記録再生装置はファームウェアを除いてＣＤ−Ｒ或いはＣＤ−ＲＷに対して情報の記録再生を行う光記録媒体記録再生装置であり、前記ファイル情報がＴＯＣであることを特徴とする光記録媒体記録再生システム。
【請求項３】
請求項２記載の光記録媒体記録再生システムで用いられる光記録媒体であって、ＰＭＡがオレンジブック記載のアドレス位置以外に有り、かつパスワードが記録されるＣＤ−Ｒ或いはＣＤ−ＲＷからなることを特徴とする光記録媒体。
【請求項４】
請求項１記載の光記録媒体記録再生システムにおいて、前記光記録媒体記録再生装置は、未記録の光記録媒体にデータ及びパスワードを記録する手段を有することを特徴とする光記録媒体記録再生システム。
【請求項５】
請求項４記載の光記録媒体記録再生システムにおいて、前記光記録媒体記録再生装置は、ファームウェアを除いてＣＤ−Ｒ或いはＣＤ−ＲＷに対して情報の記録再生を行う光記録媒体記録再生装置であり、未記録のＣＤ−Ｒ或いはＣＤ−ＲＷに対して、プログラムエリアにデータを書き込み、それに対応するＰＭＡ情報をオレンジブック記載のアドレス位置以外の位置に記録する手段を有し、前記再生したパスワードの内容と前記入力されたパスワードの内容とが一致したときに前記光記録媒体に記録するファイル情報はＴＯＣであることを特徴とする光記録媒体記録再生システム。
【請求項６】
光記録媒体に対して光記録媒体記録再生装置により情報の記録再生を行う光記録媒体記録再生方法であって、前記光記録媒体はＰＭＡがオレンジブック記載のアドレス位置以外に有り、かつパスワードが記録されるＣＤ−Ｒ或いはＣＤ−ＲＷからなり、書き込み済みデータエリア、未記録のファイル情報エリアを有するとともに、パスワードが記録されている光記録媒体に対して光記録媒体記録再生装置にて、前記パスワードが記録されている位置をアクセスしてパスワードを再生しこのパスワードの内容と外部の装置より入力されたパスワードの内容を照合し、この照合で前記再生したパスワードの内容と前記入力されたパスワードの内容とが一致したときに前記光記録媒体にファイル情報を記録し、前記光記録媒体にファイル情報を記録した後に前記光記録媒体に対する情報再生を可能とすることを特徴とする光記録媒体記録再生方法。
【発明の詳細な説明】
【０００１】
【発明の属する技術分野】
本発明は光記録媒体記録再生システム、光記録媒体及び光記録媒体記録再生方法に関する。
【０００２】
【従来の技術】
光記録媒体は、光による情報の書き込み・読み出しが可能なディスク状の媒体であり、具体的にはコンパクトディスク（以下ＣＤと表記する）として知られたＣＤ−ＤＡ、ＣＤ−ＲＯＭ、ＣＤ−Ｒ（コンパクトティスク  レコーダブル）等や、ＤＶＤ−ＲＯＭ、ＤＶＤ−Ｒ等があり、情報の記録・伝達手段として近来著しく普及してきている。
特開平５−３５９３４号公報には、パスワードが一致した時のみ再生可能な再生装置が開示されている。
【０００３】
【発明が解決しようとする課題】
光記録媒体を情報伝達の手段として考えると、情報の秘密保持が重要な問題となる。例えば、ＣＤに記録された情報は市販のＣＤプレーヤがあれば簡単にＣＤから再生できるので、秘密情報が記録されたＣＤが不本意に第三者の手に渡った場合には、そのＣＤから秘密情報が簡単に再生されてしまい、情報の秘密保持が困難である。また、特開平５−３５９３４号公報には、パスワードが一致した時のみ再生可能な再生装置が開示されており、記録媒体は該再生装置と組み合わせた時のみ再生可能である。これは機密保持という目的からすれば当然である。
【０００４】
本発明は、ある時点までは記録媒体が記録再生装置との組み合わせのみで再生可能であって機密保持が可能であり、ある時点以降はＣＤ−ＲＯＭ、ＤＶＤ−ＲＯＭ等の汎用再生装置の再生が可能であることを目的とする。
【０００５】
【課題を解決するための手段】
上記目的を達成するため、請求項１に係る発明は、光記録媒体に対して情報の記録再生を行う光記録媒体記録再生装置を備えた光記録媒体記録再生システムであって、前記光記録媒体記録再生装置は、書き込み済みデータエリア、未記録のファイル情報エリアを有するとともに、パスワードが記録されている光記録媒体に対して、前記パスワードが記録されている位置をアクセスしてパスワードを再生する手段と、この手段で再生したパスワードの内容と外部の装置より入力されたパスワードの内容を照合する手段と、この手段によるパスワードの照合で前記再生したパスワードの内容と前記入力されたパスワードの内容とが一致したときに前記光記録媒体にファイル情報を記録する手段とを有し、前記光記録媒体はＰＭＡがオレンジブック記載のアドレス位置以外に有り、かつパスワードが記録されるＣＤ−Ｒ或いはＣＤ−ＲＷからなり、前記光記録媒体にファイル情報を記録した後に前記光記録媒体に対する情報再生を可能とするものである。
【０００６】
請求項２に係る発明は、請求項１記載の光記録媒体記録再生システムにおいて、前記光記録媒体記録再生装置はファームウェアを除いてＣＤ−Ｒ或いはＣＤ−ＲＷに対して情報の記録再生を行う光記録媒体記録再生装置であり、前記ファイル情報がＴＯＣであるものである。
【０００７】
請求項３に係る発明は、請求項２記載の光記録媒体記録再生システムで用いられる光記録媒体であって、ＰＭＡがオレンジブック記載のアドレス位置以外に有り、かつパスワードが記録されるＣＤ−Ｒ或いはＣＤ−ＲＷからなるものである。
【０００８】
請求項４に係る発明は、請求項１記載の光記録媒体記録再生システムにおいて、前記光記録媒体記録再生装置は、未記録の光記録媒体にデータ及びパスワードを記録する手段を有するものである。
【０００９】
請求項５に係る発明は、請求項４記載の光記録媒体記録再生システムにおいて、前記光記録媒体記録再生装置は、ファームウェアを除いてＣＤ−Ｒ或いはＣＤ−ＲＷに対して情報の記録再生を行う光記録媒体記録再生装置であり、未記録のＣＤ−Ｒ或いはＣＤ−ＲＷに対して、プログラムエリアにデータを書き込み、それに対応するＰＭＡ情報をオレンジブック記載のアドレス位置以外の位置に記録する手段を有し、前記再生したパスワードの内容と前記入力されたパスワードの内容とが一致したときに前記光記録媒体に記録するファイル情報はＴＯＣであるものである。
【００１０】
請求項６に係る発明は、光記録媒体に対して光記録媒体記録再生装置により情報の記録再生を行う光記録媒体記録再生方法であって、前記光記録媒体はＰＭＡがオレンジブック記載のアドレス位置以外に有り、かつパスワードが記録されるＣＤ−Ｒ或いはＣＤ−ＲＷからなり、書き込み済みデータエリア、未記録のファイル情報エリアを有するとともに、パスワードが記録されている光記録媒体に対して光記録媒体記録再生装置にて、前記パスワードが記録されている位置をアクセスしてパスワードを再生しこのパスワードの内容と外部の装置より入力されたパスワードの内容を照合し、この照合で前記再生したパスワードの内容と前記入力されたパスワードの内容とが一致したときに前記光記録媒体にファイル情報を記録し、前記光記録媒体にファイル情報を記録した後に前記光記録媒体に対する情報再生を可能とする。
【００１１】
【発明の実施の形態】
図１は本発明の一実施形態の動作フローを示すフローチャート、図２は本実施形態で使用される光記録媒体の説明図、図３は本実施形態で使用される光記録媒体上の各情報の配置図である。この実施形態の光記録媒体記録再生システムは光記録媒体記録再生装置とホストコンピュータとしてのパーソナルコンピュータ（以下パソコンという）からなり、その光記録媒体記録再生装置はファームウェアを除いて既存のＣＤ−Ｒドライブ装置或いはＣＤ−ＲＷ（コンパクトディスク  リライタブル）ドライブ装置と略同様に構成されている。
【００１２】
本実施形態における光記録媒体記録再生装置は、書き込み済みデータエリア、未記録のファイル情報エリアを有するとともに、パスワードが規格外の位置に記録されている光記録媒体１に対して、パスワードが記録されている位置をアクセスしてパスワードを再生する手段と、この手段で再生したパスワードの内容と外部の装置としてのパソコンより入力されたパスワードの内容を照合する手段と、この手段によるパスワードの照合で前記再生したパスワードの内容と前記入力されたパスワードの内容とが一致したときに光記録媒体１にファイル情報を記録する手段とを有し、光記録媒体１にファイル情報を記録した後に光記録媒体１に対する情報再生を可能とする。
【００１３】
図２及び図３に示すように、本実施形態で使用される光記録媒体１は、ＣＤ−Ｒ或いはＣＤ−ＲＷからなり、プログラムエリアＰＡがデータ記録済みであるが、ＴＯＣ（Ｔａｂｌｅ  Ｏｆ  Ｃｏｎｔｅｎｔｓ）領域、リードアウト部ＬＯが未記録である。また、光記録媒体１上のＰＭＡ（Ｐｒｏｇｒａｍ  ＭｅｍｏｒｙＡｒｅａ）及びパスワードは、図３に斜線で示すようにリードイン側位置Ｐ１或いはＴＯＣの内側位置Ｐ２とリードアウト部ＬＯの外側位置Ｐ３に設けられる。このＰＭＡは、オレンジブック記載のアドレス位置以外の位置である。
【００１４】
本実施形態においては、図１に示すように、光記録媒体記録再生装置は、パスワード所有者により光記録媒体（メディア）１がセットされた後に外部のパソコンからパスワードが入力されると、システムソフトウェアによりパスワードリード、ＰＭＡリードのコマンドを出し、光記録媒体１に対してパスワードが記録されている位置をアクセスしてＰＭＡの内容とパスワードを読み取って再生し、これらをシステムのメモリに記憶する。
【００１５】
次に、光記録媒体記録再生装置は、光記録媒体１から再生したパスワードの内容と外部のパソコンより入力されたパスワードの内容を比較照合し、上記再生したパスワードの内容と上記入力されたパスワードの内容とが一致しなければ、光記録媒体１に対するデータの読み出しを禁止する。
【００１６】
また、光記録媒体記録再生装置は、上記再生したパスワードの内容と上記入力されたパスワードの内容とが一致すれば、光記録媒体１からＰＭＡの内容を読み出して該ＰＭＡの内容を元にＴＯＣをファイル情報として光記録媒体１のＴＯＣに記録し、パソコンに操作者に対する読み出し可能メッセージを出し、光記録媒体１からデータを読み出して再生する。この実施形態の光記録媒体記録再生装置は、光記録媒体１に対してＰＭＡ及びパスワードが記録されている位置をアクセスしてＰＭＡの内容とパスワードを読み取る部分に対応するファームウェアが既存の光記録媒体記録再生装置に追加、変更したものとなる（ＰＭＡが規格上の位置と異なる位置にあるため）。
【００１７】
光記録媒体１はＴＯＣ、リードアウト部ＬＯが未記録でＰＭＡの位置がオレンジブック記載のアドレス位置以外の位置であり、かつパスワードが記録されており、この実施形態の光記録媒体記録再生装置が光記録媒体１からパスワードを読み取って該パスワードの内容と外部のパソコンから入力されたパスワードの内容とが一致したときに光記録媒体１からデータを再生するので、この実施形態の光記録媒体記録再生システム及び光記録媒体１を使用することにより、パスワード所有者のみが光記録媒体１からデータを再生することができ、その再生時点以前における光記録媒体１の記録データの機密保持が保たれる。
【００１８】
但し、光記録媒体１がＣＤ−Ｒ或いはＣＤ−ＲＷである場合、光記録媒体１から読み取ったパスワードの内容と外部のパソコンから入力されたパスワードの内容とが一致して光記録媒体１のデータを再生可能とした時点以後に光記録媒体１がパスワード所有者以外の者に渡った場合には光記録媒体１の記録データの機密保持が失われる。
【００１９】
しかし、情報の中には、ある時点まで、或いは情報の流れの中であるステップまでは機密にしておく必要があるが、それ以後は広く伝達すべきものとなる種類のものもかなり多い。この実施形態の光記録媒体記録再生システム及び光記録媒体１は、そのような種類の情報の機密保持に非常に有効である。
パスワード所有者が光記録媒体１からデータを再生した後に光記録媒体１の記録データの機密保持を保ちたい場合は、光記録媒体１としてＣＤ−ＲＷを用いて該ＣＤ−ＲＷから記録したＴＯＣを消去すれば、光記録媒体１の記録データの機密保持が可能となる。
【００２０】
この実施形態は、光記録媒体１に対して情報の記録再生を行う光記録媒体記録再生装置を備えた光記録媒体記録再生システムであって、前記光記録媒体記録再生装置は、書き込み済みデータエリアとしてのＰＡ、未記録のファイル情報エリアとしてのＴＯＣを有するとともに、パスワードが記録されている光記録媒体１に対して、前記パスワードが記録されている位置Ｐ１或いはＰ２，Ｐ３をアクセスしてパスワードを再生する手段と、この手段で再生したパスワードの内容と外部の装置としてのパソコンより入力されたパスワードの内容を照合する手段と、この手段によるパスワードの照合で前記再生したパスワードの内容と前記入力されたパスワードの内容とが一致したときに前記光記録媒体１にファイル情報としてのＴＯＣを記録する手段とを有し、前記光記録媒体１にファイル情報を記録した後に前記光記録媒体１に対する情報再生を可能とするので、光記録媒体と光記録媒体記録再生装置との組み合わせにより光記録媒体に対する情報の読み出しが可能となり、情報の秘密保持上有効である。
【００２１】
また、この実施形態は、前記光記録媒体記録再生装置はファームウェアを除いてＣＤ−Ｒ或いはＣＤ−ＲＷに対して情報の記録再生を行う光記録媒体記録再生装置であり、前記ファイル情報がＴＯＣであるので、ある時点までの情報の秘密保持と再生可能後の広い分野への伝達に有効である。
【００２２】
また、この実施形態で用いられる光記録媒体１は、光記録媒体記録再生システムで用いられる光記録媒体において、ＰＭＡがオレンジブック記載のアドレス位置以外に有り、かつパスワードが記録されるＣＤ−Ｒ或いはＣＤ−ＲＷからなるので、ある時点までの情報の秘密保持と情報の再生後の広い分野への伝達に有効である。
【００２３】
また、この実施形態は、光記録媒体１に対して光記録媒体記録再生装置により情報の記録再生を行う光記録媒体記録再生方法であって、書き込み済みデータエリアとしてのＰＡ、未記録のファイル情報エリアとしてのＴＯＣを有するとともに、パスワードが位置Ｐ１或いはＰ２，Ｐ３に記録されている光記録媒体１に対して光記録媒体記録再生装置にて、前記パスワードが記録されている位置Ｐ１或いはＰ２，Ｐ３をアクセスしてパスワードを再生しこのパスワードの内容と外部の装置としてのパソコンより入力されたパスワードの内容を照合し、この照合で前記再生したパスワードの内容と前記入力されたパスワードの内容とが一致したときに前記光記録媒体１にファイル情報としてのＴＯＣを記録し、前記光記録媒体１にファイル情報を記録した後に前記光記録媒体１に対する情報再生を可能とするので、光記録媒体と光記録媒体記録再生装置との組み合わせにより光記録媒体に対する情報の読み出しが可能となり、情報の秘密保持上有効である。
【００２４】
図４は上記実施形態において光記録媒体１を作成する機能を更に有するようにした本発明の他の実施形態の動作フローを示すフローチャートである。この実施形態における光記録媒体記録再生装置は、未記録の光記録媒体（ブランクメディア）１がセットされると、パソコンに信号を出力して、光記録媒体１上のＰＡへ所望のデータを記録するのか、パスワードが記録されている光記録媒体１上のＰＡからデータを読み出すのかを操作者に選択させるためのメッセージをパソコンに表示させ、操作者がそのメッセージを見て光記録媒体１上のＰＡへ所望のデータを記録するのか、パスワードが記録されている光記録媒体１上のＰＡからデータを読み出すのかを選択する。
【００２５】
光記録媒体記録再生装置は、パソコンからの入力信号により、光記録媒体１上のＰＡへ所望のデータを記録することを操作者が選択したのか、パスワードが記録されている光記録媒体１上のＰＡからデータを読み出すことを操作者が選択したのかを判断し、パスワードが記録されている光記録媒体１上のＰＡからデータを読み出すことを操作者が選択した場合には上述した図１に示す動作を行う。
【００２６】
光記録媒体記録再生装置は、パスワードが記録されている光記録媒体１からデータを読み出すことを操作者が選択した場合には、操作者によりパソコンから入力されたデータを光記録媒体１上のＰＡに記録し、これに対応するＰＭＡ情報を光記録媒体１上の図３に示す上記位置Ｐ１或いはＰ２，Ｐ３に記録する。次に、操作者が再生方のパスワードをパソコンにより光記録媒体記録再生装置に入力すると、光記録媒体記録再生装置は、システムソフトウェアによりパスワードライトのコマンドを出してパソコンから入力されたパスワードを光記録媒体１上の図３に示す上記位置Ｐ１或いはＰ２，Ｐ３に記録する。以上により、データの機密保持上有効な光記録媒体１が作成される。この実施形態の光記録媒体記録再生装置は、光記録媒体１に対してパスワードが記録されている位置をアクセスしてＰＭＡの内容とパスワードを読み取る部分と、ＰＭＡ情報及び入力したパスワードを光記録媒体１上の図３に示す上記位置Ｐ１或いはＰ２，Ｐ３に記録する部分とに対応するファームウェアが既存の光記録媒体記録再生装置に追加、変更したものとなる。
【００２７】
この実施形態は、上記実施形態の光記録媒体記録再生システムにおいて、前記光記録媒体記録再生装置は、未記録の光記録媒体１にデータ及びパスワードを記録する手段を有するので、上記実施形態の光記録媒体記録再生システムで使用する光記録媒体を発行することができる。
【００２８】
また、この実施形態は、上記実施形態の光記録媒体記録再生システムにおいて、前記光記録媒体記録再生装置は、ファームウェアを除いてＣＤ−Ｒ或いはＣＤ−ＲＷに対して情報の記録再生を行う光記録媒体記録再生装置であり、未記録のＣＤ−Ｒ或いはＣＤ−ＲＷに対して、プログラムエリアにデータを書き込み、それに対応するＰＭＡ情報をオレンジブック記載のアドレス位置以外の位置Ｐ１或いはＰ２，Ｐ３に記録する手段を有し、前記再生したパスワードの内容と前記入力されたパスワードの内容とが一致したときに前記光記録媒体１に記録するファイル情報はＴＯＣであるので、ある時点までの情報の秘密保持と再生可能後の広い分野への伝達に有効であると共に、本システムで使用する光記録媒体を発行することができる。
【００２９】
【発明の効果】
以上のように請求項１に係る発明によれば、上記構成により、光記録媒体と光記録媒体記録再生装置との組み合わせにより光記録媒体に対する情報の読み出しが可能となり、情報の秘密保持上有効である。さらに、ある時点までの情報の秘密保持と再生可能後の広い分野への伝達に有効である。
【００３０】
請求項２に係る発明によれば、上記構成により、ある時点までの情報の秘密保持と再生可能後の広い分野への伝達に有効である。
【００３１】
請求項３に係る発明によれば、上記構成により、ある時点までの情報の秘密保持と再生可能後の広い分野への伝達に有効である。
【００３２】
請求項４に係る発明によれば、上記構成により、請求項１記載の光記録媒体記録再生システムで使用する光記録媒体を発行することができる。
【００３３】
請求項５に係る発明によれば、上記構成により、ある時点までの情報の秘密保持と情報の再生後の広い分野への伝達に有効であると共に、本システムで使用する光記録媒体を発行することができる。
【００３４】
請求項６に係る発明によれば、上記構成により、光記録媒体と光記録媒体記録再生装置との組み合わせにより光記録媒体に対する情報の読み出しが可能となり、情報の秘密保持上有効である。さらに、ある時点までの情報の秘密保持と再生可能後の広い分野への伝達に有効である。
【図面の簡単な説明】
【図１】本発明の一実施形態の動作フローを示すフローチャートである。
【図２】同実施形態で使用される光記録媒体を説明するための図である。
【図３】同実施形態で使用される光記録媒体上の各情報の配置を示す図である。
【図４】本発明の他の実施形態の動作フローを示すフローチャートである。
【符号の説明】
１      光記録媒体
【図１】
0003784181.tif 000002
【図２】
0003784181.tif 000003
【図３】
0003784181.tif 000004
【図４】
0003784181.tif 000005